【事件の表示】
　特許第３０００７２４号「画像形成装置」の請求項１に係る特許に対する特許異議の申立てについて、次のとおり決定する。
【結　論】
　訂正を認める。
　特許第３０００７２４号の請求項１に係る特許を維持する。
【理　由】
１．手続の経緯
　本件特許第３０００７２４号発明は、平成３年５月１４日に特許出願され、平成１１年１１月１２日に特許の設定登録がなされ、その後、小湊勇次より特許異議の申立てがなされ、取消理由通知がなされ、その指定期間内である平成１２年１１月２７日に訂正請求がなされたものである。
２．訂正の適否についての判断
　２−１訂正事項
　訂正事項ａ
　特許請求の範囲の請求項１に係る記載
　「【請求項１】感光体に形成された画像を用紙に転写する画像形成装置において、
　前記画像形成装置は、
　給紙カセットに収容された用紙を給紙する給紙ローラと、
　前記給紙ローラによって給紙された用紙を用紙路内で搬送する搬送ローラ装置と、
　前記搬送ローラ装置によって搬送された用紙に画像を転写する転写部直前に設けられたレジローラと、
　前記搬送ローラ装置より用紙搬送方向下流で、前記レジローラより用紙搬送方向上流に設けられたプリレジローラとを備え、
　前記給紙ローラの用紙搬送速度をＶ４、前記搬送ローラ装置の用紙搬送速度をＶ３、前記レジローラの用紙搬送速度をＶ１とした時、
　Ｖ４＜Ｖ３、Ｖ１＜Ｖ３の関係をみたすとともに、
　前記プリレジローラの用紙搬送速度を、前記搬送ローラ装置の用紙搬送速度Ｖ３と同速度の第１の速度と、前記第１の速度よりも低速の第２の用紙搬送速度Ｖ２との２段階に切換可能に構成し、
　Ｖ１＜Ｖ２＜Ｖ３の関係をみたすとともに、
　前記プリレジローラの速度を、レジローラによって用紙の先端が規制されるまでを第１の速度Ｖ３とし、用紙のループが形成された後に第２の速度Ｖ２に切り換える制御手段を備えたことを特徴とする画像形成装置。」を
　「【請求項１】感光体に形成された画像を用紙に転写する画像形成装置において、
　前記画像形成装置は、
　給紙カセットに収容された用紙を給紙する給紙ローラと、
　前記給紙ローラによって給紙された用紙を用紙路内で搬送する搬送ローラ装置と、
　前記搬送ローラ装置によって搬送された用紙に画像を転写する転写部直前に設けられたレジローラと、
　前記搬送ローラ装置より用紙搬送方向下流で、前記レジローラより用紙搬送方向上流に設けられた一つのプリレジローラとを備え、
　前記給紙ローラの用紙搬送速度をＶ４、前記搬送ローラ装置の用紙搬送速度をＶ３、前記レジローラの用紙搬送速度をＶ１とした時、
　Ｖ４＜Ｖ３、Ｖ１＜Ｖ３の関係をみたすとともに、
　前記プリレジローラの用紙搬送速度のみを、前記搬送ローラ装置の用紙搬送速度Ｖ３と同速度の第１の速度と、前記第１の速度よりも低速の第２の用紙搬送速度Ｖ２との２段階に切換可能に構成し、
　Ｖ１＜Ｖ２＜Ｖ３の関係をみたすとともに、
　前記プリレジローラの速度を、レジローラによって用紙の先端が規制されるまでを第１の速度Ｖ３とし、用紙のループが形成された後に第２の速度Ｖ２に切り換える制御手段を備えたことを特徴とする画像形成装置。」と訂正する。
　訂正事項ｂ
　特許明細書の段落番号【０００８】を
　「【０００８】
　【課題を解決するための手段】
　本発明は、感光体に形成された画像を用紙に転写する画像形成装置に関する。本発明の請求項１の発明は、前記画像形成装置が、給紙カセットに収容された用紙を給紙する給紙ローラと、前記給紙ローラによって給紙された用紙を用紙路内で搬送する搬送ローラ装置と、前記搬送ローラ装置によって搬送された用紙に画像を転写する転写部直前に設けられたレジローラと、前記搬送ローラ装置より用紙搬送方向下流で、前記レジローラより用紙搬送方向上流に設けられた一つのプリレジローラとを備え、前記給紙ローラの用紙搬送速度をＶ４、前記搬送ローラ装置の用紙搬送速度のみをＶ３、前記レジローラの用紙搬送速度をＶ１とした時、Ｖ４＜Ｖ３、Ｖ１＜Ｖ３の関係をみたすとともに、前記プリレジローラの用紙搬送速度を、前記搬送ローラ装置の用紙搬送速度Ｖ３と同速度の第１の速度と、前記第１の速度よりも低速の第２の用紙搬送速度Ｖ２との２段階に切換可能に構成し、Ｖ１＜Ｖ２＜Ｖ３の関係をみたすとともに、前記プリレジローラの速度を、レジローラによって用紙の先端が規制されるまでを第１の速度Ｖ３とし、用紙のループが形成された後に第２の速度Ｖ２に切り換える制御手段を備えたことを特徴とする。」と訂正する。
　訂正事項ｃ
　特許明細書の段落番号【００１４】を
　「【００１４】
　前述した状態で、レジ部用紙路１０内で停止している用紙は、転写ドラム２０の回転にタイミングを合わせて、レジローラ１７が速度ｖ１で駆動されることにより送り出され、転写ドラム２０に向けて押圧ローラ２１により押圧され、転写ドラム２０の表面に発生される静電気により静電的に保持される。なお、前記転写ドラム２０に対して、押圧ローラ２１を押圧する際に、用紙路５に受けた用紙の長さを検知する手段からの情報により、または、複写機本体から出力される用紙のサイズの信号等にもとづいて、該用紙が転写ドラム２０に全部保持されるまで、前記押圧ローラ２１が用紙を転写ドラムに向けて押圧する状態が設定される。そして、用紙は前記転写ドラム２０が１回転する都度、感光体ドラム２５に形成したトナー画像が転写され、全部のカラートナー画像が用紙に重ねた状態で転写された後で、前記転写ドラム２０から剥離されて、定着装置に向けて搬送され、カラーコピーが作成される。」と訂正する。
　訂正事項ｄ
　特許明細書の段落番号【００１５】を
　「【００１５】
　前記用紙搬送装置１において、レジ部用紙路１０に対応させて配置するプリレジローラ１５は、用紙を用紙路５からレジ部用紙路１０内に導入する場合は高速で駆動が行われ、レジローラ１７を速度ｖ１で駆動して、レジ部用紙路１０から転写ドラムに向けて用紙を送り出す場合に、前記速度ｖ１よりも若干高速で駆動される。前述したようなモードでプリレジローラ１５を駆動するために、図４に示されるような駆動装置２７を用いている。前記図４に示される駆動装置２７は、入力ギヤＧ１と、中間ギヤ部材、および、高速用ギヤＧ５、低速用ギヤＧ６と、プリレジローラ１５の軸１６に設けた駆動ギヤＧ７とから構成される。前記中間ギヤ部材は、入力ギヤＧ１に噛み合うギヤＧ２と、高速用および低速用ギヤＧ５、Ｇ６に対して、それぞれ噛み合うギヤＧ３、Ｇ４とから構成され、Ｇ３、Ｇ４の各ギヤは、中間のギヤＧ２の軸との間にクラッチ手段を配置している。そして、それぞれのクラッチが接続された状態で、高速用及び低速用のギヤに対する駆動を行い、駆動ギヤＧ７を介してローラ軸１６を駆動する。」と訂正する。
　訂正事項ｅ
　特許明細書の段落番号【００１６】を
　「【００１６】
　したがって、本発明のレジ部用紙路１０の入り口部分に配置されるプリレジローラ１５においては、用紙路５からレジ部用紙路１０に向けて用紙を導入する場合には、高速用のギヤＧ５を介してプリレジローラ軸が駆動され、用紙が速度ｖ３でレジ部用紙路１０内を搬送される。そして、レジローラ１７に先端部がニップされた状態で、若干の追加送りを行うまで、用紙を高速で搬送する。また、用紙がレジ部用紙路１０内で一旦停止され、その後で、レジローラ１７が駆動されて転写ドラム２０に向けて送り出される場合には、プリレジローラ１５が低速で駆動される。その場合には、前記プリレジローラ１５は、低速用のギヤＧ６を介して速度ｖ２で駆動が行われ、レジ部用紙路１０内で用紙にループを形成する状態のままで、送りの作用が継続される。なお、前記レジ部用紙路１０内での用紙の搬送に際して、用紙を用紙搬送装置に設けたセンサにより検知して、各駆動手段に対する駆動の制御動作を、制御装置に設定したプログラムにしたがって行うようにする。」と訂正する。
　訂正事項ｆ
　特許明細書の段落番号【００１７】を
　「【００１７】
　前記図１に示される用紙搬送装置１において、レジ部用紙路１０と、押圧ローラ２１を駆動する機構は、図５に示されるように構成されている。前記図５において、レジ部用紙路１０は湾曲路として構成されており、上下のガイド１１、１２により用紙路を構成し、湾曲路の入り口の部分に開口１３を配置して、該レジ部用紙路内で用紙がジャムを発生した際に、前記開口１３から用紙を除去出来るようにしている。また、前記レジ部用紙路１０の下流部で、転写ドラム２０に対して用紙を押圧するための押圧ローラ２１は、軸２４を中心にして揺動可能に設けた支持ブラケット２２に設けられ、該ブラケット２２の側部にガイド板２３を配置している。そして、搬送されてくる用紙の長さに対応して、前記押圧ローラ２１を転写ドラム２０に対して所定の時間押圧し、用紙を転写ドラム２０に保持させるようにする。」と訂正する。
　訂正事項ｇ
　特許明細書の段落番号【００１８】を
　「【００１８】
　前記図５に示される装置において、押圧ローラ２１を駆動するために、図６に示されるような押圧ローラ駆動装置３０を用いることができる。前記図６に示される押圧ローラ駆動装置３０においては、押圧ローラ２１を支持する支持ブラケット２２に対して揺動アーム３１を配置し、該揺動アーム３１をカム３５により駆動して、押圧ローラ２１を転写ドラム２０に向けて揺動させる手段を用いている。また、前記押圧ローラ２１の揺動の動作を制御するために、クラッチ４０を用いており、該クラッチ４０の外部に突出する爪部材４１……に対して、ソレノイド４２により駆動される係合爪４３を配置している。前記押圧ローラ２１を揺動させる際に、ソレノイド４２の爪４３をクラッチ４０から離して、クラッチ４０を介して入力ギヤ３８とギヤ３７とを接続し、軸３６を介してカム３５を駆動し、押圧ローラ２１を転写ドラム２０に押圧する。なお、前記揺動アーム３１には、アクチュエータ部材３３を突出させて設けて、該アクチュエータ部材３３をセンサ（図７に示す）が検知して、押圧ローラ２１が押圧状態にあることを、前記センサＳ４からの情報により確認するようにすることができる。」と訂正する。
　訂正事項ｈ
　特許明細書の段落番号【００１９】を
　「【００１９】
　そして、押圧ローラ２１を転写ドラム２０に押圧した状態で、係止爪４３をクラッチ４０の爪部材４１に係合させる状態にし、カム３５を略１／４回転させて停止し、押圧ローラ２１を転写ドラム２０に押圧した状態を保持させるようにする。その後で、用紙が転写ドラム２０に付着し終えるタイミングを見て、カム３５をさらに１／４回転させて、押圧ローラ２１を転写ドラム２０から離間させるようにする。なお、前記カム３５を駆動する時間は、用紙の長さ等の情報により設定されるものであり、大サイズの用紙の場合と、小サイズの用紙の場合とでは、クラッチ４０が作動される時間が異なるようにされる。また、前記実施例において、用紙の長さの情報は、例えば、用紙のサイズを選択した際のサイズの情報や、センサで検知した用紙の長さの情報等を用いることができる。」と訂正する。
　訂正事項ｉ
　特許明細書の段落番号【００２０】を
　「【００２０】
　前述したように構成される本発明の用紙搬送装置において、レジローラ１７と押圧ローラ２１とを駆動するための駆動装置４５は、図７に示されるように構成される。該図７に示される例において、入力軸４６を介してギヤ装置４７に伝達され、該ギヤ装置４７からクラッチ４８を介してレジローラ１７を駆動するとともに、クラッチ４０を介して押圧ローラ２１の揺動機構の駆動を行い得るようにされている。そして、前記レジローラ１７の駆動と、押圧ローラ２１を転写ドラム２０に向けて押圧する機構とを、同一の駆動装置４５を用いて駆動することによって、用紙を転写ドラム２０に対して付着させて支持させる作用を行うことが出来る。」と訂正する。
　訂正事項ｊ
　特許明細書の【符号の説明】を
　「【符号の説明】
　１用紙搬送装置、２給紙カセット、３給紙ローラ、
　５用紙路、６搬送ローラ装置、
　１０レジ部用紙路、１５プリレジローラ、１７レジローラ、
　２０転写ドラム、２１押圧ローラ、２５感光体ドラム、
　２７駆動装置、３０押圧ローラ駆動装置、
　３１揺動アーム、３５カム、４０・４８クラッチ、４５駆動装置。」と訂正する。
　２−２訂正の目的の適否、新規事項の有無及び拡張・変更の存否
　上記訂正事項ａのうち、「前記搬送ローラ装置より用紙搬送方向下流で、前記レジローラより用紙搬送方向上流に設けられたプリレジローラ」を「前記搬送ローラ装置より用紙搬送方向下流で、前記レジローラより用紙搬送方向上流に設けられた一つのプリレジローラ」とする訂正は、特許明細書の段落番号【００１０】及び図１の記載に基づいて、プリレジローラが一つであることを明確にしたものであり、また、「前記プリレジローラの用紙搬送速度を、前記搬送ローラ装置の用紙搬送速度Ｖ３と同速度の第１の速度と、前記第１の速度よりも低速の第２の用紙搬送速度Ｖ２との２段階に切換可能に構成し、」を「前記プリレジローラの用紙搬送速度のみを、前記搬送ローラ装置の用紙搬送速度Ｖ３と同速度の第１の速度と、前記第１の速度よりも低速の第２の用紙搬送速度Ｖ２との２段階に切換可能に構成し、」とする訂正は、特許明細書の段落番号【００１１】及び【００１６】の記載に基づいて、プリレジローラの用紙搬送速度のみがＶ３とＶ２とに切換可能である態様に減縮しようとするものである。
　したがって、上記訂正事項ａは、特許請求の範囲の減縮及び明りょうでない記載の釈明を目的とした訂正に該当するものである。
　上記訂正事項ｂは、上記訂正事項ａによる特許請求の範囲の記載の訂正に伴って発明の詳細な説明の記載を整合させるための訂正であるから、明りょうでない記載の釈明を目的とした訂正に該当するものである。
　上記訂正事項ｃないしｊは、明らかな誤記或いは符号抜けを訂正したものであるから、誤記の訂正を目的とした訂正に該当するものである。
　そして、上記訂正事項ａないしｊは、いずれも願書に添付した明細書又は図面に記載した事項の範囲内の訂正であって、実質上特許請求の範囲を拡張し又は変更するものではない。
　２−３むすび
　以上のとおりであるから、上記訂正（訂正事項ａ〜ｊ）は、平成６年法律第１１６号附則第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。
３．特許異議の申立てについて
　３−１本件特許発明
　本件の請求項１に係る特許発明（以下、「本件特許発明」という。）は、上記訂正を認めたので、訂正明細書の特許請求の範囲の請求項１に記載された事項により特定される下記のとおりのものである。
　「【請求項１】感光体に形成された画像を用紙に転写する画像形成装置において、
　前記画像形成装置は、
　給紙カセットに収容された用紙を給紙する給紙ローラと、
　前記給紙ローラによって給紙された用紙を用紙路内で搬送する搬送ローラ装置と、
　前記搬送ローラ装置によって搬送された用紙に画像を転写する転写部直前に設けられたレジローラと、
　前記搬送ローラ装置より用紙搬送方向下流で、前記レジローラより用紙搬送方向上流に設けられた一つのプリレジローラとを備え、
　前記給紙ローラの用紙搬送速度をＶ４、前記搬送ローラ装置の用紙搬送速度をＶ３、前記レジローラの用紙搬送速度をＶ１とした時、
　Ｖ４＜Ｖ３、Ｖ１＜Ｖ３の関係をみたすとともに、
　前記プリレジローラの用紙搬送速度のみを、前記搬送ローラ装置の用紙搬送速度Ｖ３と同速度の第１の速度と、前記第１の速度よりも低速の第２の用紙搬送速度Ｖ２との２段階に切換可能に構成し、
　Ｖ１＜Ｖ２＜Ｖ３の関係をみたすとともに、
　前記プリレジローラの速度を、レジローラによって用紙の先端が規制されるまでを第１の速度Ｖ３とし、用紙のループが形成された後に第２の速度Ｖ２に切り換える制御手段を備えたことを特徴とする画像形成装置。」
　３−２申立ての理由の概要
　申立人小湊勇次は、甲第１号証として、実願平１−１１７９３５号（実開平３−５６７４４号）の願書に最初に添付した明細書及び図面の内容を撮影したマイクロフィルムの写し（取消理由の引用考案に相当。）を提出して、概略「本件特許発明は、当該特許出願の日前の実用新案登録出願であって当該特許出願後に出願公開されたものの願書に最初に添付した明細書又は図面に記載された考案、すなわち、甲第１号証に記載された考案と同一であり、しかも、当該特許出願に係る発明の発明者や出願人が甲第１号証における考案者や出願人と同一ではない。よって、本件特許発明は、特許法第２９条の２の規定により特許を受けることができないものであり、本件特許発明は、特許法第１１３条第１項第２号の規定により取り消すべきものである。」旨主張している。
　３−３甲第１号証の先願明細書に記載の考案
　甲第１号証として提出した、本件特許出願の日前の他の出願であって、その出願後に出願公開された実用新案登録出願である、実願平１−１１７９３５号（実開平３−５６７４４号）の願書に最初に添付した明細書又は図面（以下、「先願明細書」という。）には、複写機，レーザプリンタなどの作像装置に適用できる給紙装置に関して、下記の事項が図面とともに記載されている。
　「（１）像担持体に対して用紙を搬送するレジストローラ対と、このレジストローラ対に用紙を搬送する複数の搬送ローラ対とを有する給紙装置において、前記搬送ローラ対の搬送速度を、レジストローラ対まで用紙を搬送する時には高速度にし、またレジストローラ対で用紙を搬送する時にはレジストローラ対の搬送速度に合せた低速度に切換える速度切換え部を設けたことを特徴とする給紙装置。
　（２）前記複数の搬送ローラ対の搬送速度を、搬送の次段の搬送ローラ対になるほど高速度にするか、互いに等速になるように設定したことを特徴とする請求項（１）記載の給紙装置。
　（３）前記レジストローラ対の搬送時、レジストローラ対より搬送の前段の搬送ローラ対の搬送速度を、レジストローラ対の搬送速度よりやや速くするか、あるいは等速になるように設定したことを特徴とする請求項（１）記載の給紙装置。」（実用新案登録請求の範囲の欄）
　「第１図〜第３図において、反転給紙装置の給紙カセット３ｂ，３ｃから用紙１４が、給紙コロ４ｂ，４ｃとフィードコロ５ｂ，５ｃと分離コロ６ｂ，６ｃとによって搬送され、反転用の搬送ローラ対７，８，９，１０への用紙１４が搬送されている間は、高速用の第２電磁クラッチ３４がオンし、低速用の第１電磁クラッチ３３がオフしている。そして用紙１４がレジストローラ対１２に入って、あるタイミングで第２電磁クラッチ３４をオフし、反転用の搬送ローラ対７，８，９，１０の駆動を止め、用紙１４にたるみをつける。
　前記レジストローラ対１２が像担持体１の画像位置に合せて駆動を開始すると同時に、第１電磁クラッチ３３をオンし、第２電磁クラッチ３４をオフ状態のままにすることにより、反転用の搬送ローラ対７，８，９，１０はレジストローラ対１２の線速に合せて低速で駆動する。
　上述のように作動するため、レジストローラ対１２が駆動する時でも、反転用の搬送ローラ対７，８，９，１０を、従来のように連れ回りさせずに、レジストローラ対１２の線速に合せてやや速い線速で搬送することで、用紙１４を介してレジストローラ対１２に加わる負荷を軽くしている。また用紙１４がレジストローラ対１２に達するまでは、反転用の搬送ローラ対７，８，９，１０はレジストローラ対１２の線速より速い線速で用紙１４を搬送し、一定時間内の搬送枚数を多くし、搬送効率の向上を図っている。」（第８頁１行〜第９頁８行）
　３−４本件特許発明と先願明細書に記載された考案との対比・判断
　先願明細書に記載された上記技術事項からみて、先願明細書に記載された考案の「像担持体１」、「フィードコロ５ｂ」、「搬送ローラ対８，９，１０」、「レジストローラ対１２」、「搬送ローラ対７」、「用紙１４がレジストローラ対１２に入って」、「用紙にたるみをつける」、「速度切換部」及び「作像装置」は、各々請求項１に係る特許発明の「感光体」、「給紙ローラ」、「搬送ローラ装置」、「レジローラ」、「プリレジローラ」、「レジローラによって用紙の先端が規制されるまで」、「用紙のループが形成された」、「プリレジローラの速度を切り換える制御手段」及び「画像形成装置」に相当し、搬送ローラ対７〜１０の用紙搬送速度は、フィードコロ５ｂの用紙搬送速度よりも速い速度であることは、自明の技術事項であるから、本件特許発明の用語を使用して本件特許発明と先願明細書に記載された考案とを対比すると、両者は、「感光体に形成された画像を用紙に転写する画像形成装置において、前記画像形成装置は、給紙カセットに収容された用紙を給紙する給紙ローラと、前記給紙ローラによって給紙された用紙を用紙路内で搬送する搬送ローラ装置と、前記搬送ローラ装置によって搬送された用紙に画像を転写する転写部直前に設けられたレジローラと、前記搬送ローラ装置より用紙搬送方向下流で、前記レジローラより用紙搬送方向上流に設けられた一つのプリレジローラとを備え、前記給紙ローラの用紙搬送速度をＶ４、前記搬送ローラ装置の用紙搬送速度をＶ３、前記レジローラの用紙搬送速度をＶ１とした時、Ｖ４＜Ｖ３、Ｖ１＜Ｖ３の関係をみたすとともに、前記プリレジローラの用紙搬送速度を、前記搬送ローラ装置の用紙搬送速度Ｖ３と同速度の第１の速度と、前記第１の速度よりも低速の第２の用紙搬送速度Ｖ２との２段階に切換可能に構成し、Ｖ１＜Ｖ２＜Ｖ３の関係をみたすとともに、前記プリレジローラの速度を、レジローラによって用紙の先端が規制されるまでを第１の速度Ｖ３とし、用紙のループが形成された後に第２の速度Ｖ２に切り換える制御手段を備えたことを特徴とする画像形成装置。」で一致しているが、本件特許発明では、プリレジローラのみの用紙搬送速度を、搬送ローラ装置の用紙搬送速度Ｖ３と同速度の第１の速度と、前記第１の速度よりも低速の第２の用紙搬送速度Ｖ２との２段階に切換可能に構成しており、搬送ローラ装置の用紙搬送速度は、速度Ｖ３で一定であるのに対して、先願明細書に記載された考案では、搬送ローラ対８，９，１０の用紙搬送速度は、搬送ローラ対７の用紙搬送速度と関連して一体的に速度制御されるものであって、搬送ローラ対８，９，１０の用紙搬送速度は、プリレジローラとしての搬送ローラ対７の用紙搬送速度と同じくレジストローラ対１２によって用紙の先端が規制されるまでは高速（Ｖ３に相当）に、用紙にたるみ（ループに相当）をつけた後は低速（Ｖ２に相当）に速度制御されるものである点で相違しているものである。
　そうすると、本件特許発明と先願明細書に記載された考案とでは、搬送ローラ装置（搬送ローラ対８，９，１０）の速度制御形態が明確に相違するものであるから、本件特許発明と先願明細書に記載された考案とは、同一であるとすることはできない。
　３−５むすび
　以上のとおりであるから、特許異議の申立ての理由及び証拠によっては本件特許発明についての特許を取り消すことができない。
　また、他に本件特許発明についての特許を取り消すべき理由を発見しない。
　よって、結論のとおり決定する。
【異議決定日】
平成１２年１２月１８日（２０００．１２．１８）
【訂正の要旨】
訂正の要旨
訂正事項ａ
　特許請求の範囲の請求項１に係る記載を、特許請求の範囲の減縮及び明りょうでない記載の釈明を目的として、
　「【請求項１】感光体に形成された画像を用紙に転写する画像形成装置において、
　前記画像形成装置は、
　給紙カセットに収容された用紙を給紙する給紙ローラと、
　前記給紙ローラによって給紙された用紙を用紙路内で搬送する搬送ローラ装置と、
　前記搬送ローラ装置によって搬送された用紙に画像を転写する転写部直前に設けられたレジローラと、
　前記搬送ローラ装置より用紙搬送方向下流で、前記レジローラより用紙搬送方向上流に設けられた一つのプリレジローラとを備え、
　前記給紙ローラの用紙搬送速度をＶ４、前記搬送ローラ装置の用紙搬送速度をＶ３、前記レジローラの用紙搬送速度をＶ１とした時、
　Ｖ４＜Ｖ３、Ｖ１＜Ｖ３の関係をみたすとともに、
　前記プリレジローラの用紙搬送速度のみを、前記搬送ローラ装置の用紙搬送速度Ｖ３と同速度の第１の速度と、前記第１の速度よりも低速の第２の用紙搬送速度Ｖ２との２段階に切換可能に構成し、
　Ｖ１＜Ｖ２＜Ｖ３の関係をみたすとともに、
　前記プリレジローラの速度を、レジローラによって用紙の先端が規制されるまでを第１の速度Ｖ３とし、用紙のループが形成された後に第２の速度Ｖ２に切り換える制御手段を備えたことを特徴とする画像形成装置。」と訂正する。
訂正事項ｂ
　特許明細書の段落番号【０００８】を、明りょうでない記載の釈明を目的として、
　「【０００８】
　【課題を解決するための手段】
　本発明は、感光体に形成された画像を用紙に転写する画像形成装置に関する。本発明の請求項１の発明は、前記画像形成装置が、給紙カセットに収容された用紙を給紙する給紙ローラと、前記給紙ローラによって給紙された用紙を用紙路内で搬送する搬送ローラ装置と、前記搬送ローラ装置によって搬送された用紙に画像を転写する転写部直前に設けられたレジローラと、前記搬送ローラ装置より用紙搬送方向下流で、前記レジローラより用紙搬送方向上流に設けられた一つのプリレジローラとを備え、前記給紙ローラの用紙搬送速度をＶ４、前記搬送ローラ装置の用紙搬送速度のみをＶ３、前記レジローラの用紙搬送速度をＶ１とした時、Ｖ４＜Ｖ３、Ｖ１＜Ｖ３の関係をみたすとともに、前記プリレジローラの用紙搬送速度を、前記搬送ローラ装置の用紙搬送速度Ｖ３と同速度の第１の速度と、前記第１の速度よりも低速の第２の用紙搬送速度Ｖ２との２段階に切換可能に構成し、Ｖ１＜Ｖ２＜Ｖ３の関係をみたすとともに、前記プリレジローラの速度を、レジローラによって用紙の先端が規制されるまでを第１の速度Ｖ３とし、用紙のループが形成された後に第２の速度Ｖ２に切り換える制御手段を備えたことを特徴とする。」と訂正する。
訂正事項ｃ
　特許明細書の段落番号【００１４】を、誤記の訂正を目的として、
　「【００１４】
　前述した状態で、レジ部用紙路１０内で停止している用紙は、転写ドラム２０の回転にタイミングを合わせて、レジローラ１７が速度ｖ１で駆動されることにより送り出され、転写ドラム２０に向けて押圧ローラ２１により押圧され、転写ドラム２０の表面に発生される静電気により静電的に保持される。なお、前記転写ドラム２０に対して、押圧ローラ２１を押圧する際に、用紙路５に受けた用紙の長さを検知する手段からの情報により、または、複写機本体から出力される用紙のサイズの信号等にもとづいて、該用紙が転写ドラム２０に全部保持されるまで、前記押圧ローラ２１が用紙を転写ドラムに向けて押圧する状態が設定される。そして、用紙は前記転写ドラム２０が１回転する都度、感光体ドラム２５に形成したトナー画像が転写され、全部のカラートナー画像が用紙に重ねた状態で転写された後で、前記転写ドラム２０から剥離されて、定着装置に向けて搬送され、カラーコピーが作成される。」と訂正する。
訂正事項ｄ
　特許明細書の段落番号【００１５】を、誤記の訂正を目的として、
　「【００１５】
　前記用紙搬送装置１において、レジ部用紙路１０に対応させて配置するプリレジローラ１５は、用紙を用紙路５からレジ部用紙路１０内に導入する場合は高速で駆動が行われ、レジローラ１７を速度ｖ１で駆動して、レジ部用紙路１０から転写ドラムに向けて用紙を送り出す場合に、前記速度ｖ１よりも若干高速で駆動される。前述したようなモードでプリレジローラ１５を駆動するために、図４に示されるような駆動装置２７を用いている。前記図４に示される駆動装置２７は、入力ギヤＧ１と、中間ギヤ部材、および、高速用ギヤＧ５、低速用ギヤＧ６と、プリレジローラ１５の軸１６に設けた駆動ギヤＧ７とから構成される。前記中間ギヤ部材は、入力ギヤＧ１に噛み合うギヤＧ２と、高速用および低速用ギヤＧ５、Ｇ６に対して、それぞれ噛み合うギヤＧ３、Ｇ４とから構成され、Ｇ３、Ｇ４の各ギヤは、中間のギヤＧ２の軸との間にクラッチ手段を配置している。そして、それぞれのクラッチが接続された状態で、高速用及び低速用のギヤに対する駆動を行い、駆動ギヤＧ７を介してローラ軸１６を駆動する。」と訂正する。
訂正事項ｅ
　特許明細書の段落番号【００１６】を、誤記の訂正を目的として、
　「【００１６】
　したがって、本発明のレジ部用紙路１０の入り口部分に配置されるプリレジローラ１５においては、用紙路５からレジ部用紙路１０に向けて用紙を導入する場合には、高速用のギヤＧ５を介してプリレジローラ軸が駆動され、用紙が速度ｖ３でレジ部用紙路１０内を搬送される。そして、レジローラ１７に先端部がニップされた状態で、若干の追加送りを行うまで、用紙を高速で搬送する。また、用紙がレジ部用紙路１０内で一旦停止され、その後で、レジローラ１７が駆動されて転写ドラム２０に向けて送り出される場合には、プリレジローラ１５が低速で駆動される。その場合には、前記プリレジローラ１５は、低速用のギヤＧ６を介して速度ｖ２で駆動が行われ、レジ部用紙路１０内で用紙にループを形成する状態のままで、送りの作用が継続される。なお、前記レジ部用紙路１０内での用紙の搬送に際して、用紙を用紙搬送装置に設けたセンサにより検知して、各駆動手段に対する駆動の制御動作を、制御装置に設定したプログラムにしたがって行うようにする。」と訂正する。
訂正事項ｆ
　特許明細書の段落番号【００１７】を、誤記の訂正を目的として、
　「【００１７】
　前記図１に示される用紙搬送装置１において、レジ部用紙路１０と、押圧ローラ２１を駆動する機構は、図５に示されるように構成されている。前記図５において、レジ部用紙路１０は湾曲路として構成されており、上下のガイド１１、１２により用紙路を構成し、湾曲路の入り口の部分に開口１３を配置して、該レジ部用紙路内で用紙がジャムを発生した際に、前記開口１３から用紙を除去出来るようにしている。また、前記レジ部用紙路１０の下流部で、転写ドラム２０に対して用紙を押圧するための押圧ローラ２１は、軸２４を中心にして揺動可能に設けた支持ブラケット２２に設けられ、該ブラケット２２の側部にガイド板２３を配置している。そして、搬送されてくる用紙の長さに対応して、前記押圧ローラ２１を転写ドラム２０に対して所定の時間押圧し、用紙を転写ドラム２０に保持させるようにする。」と訂正する。
訂正事項ｇ
　特許明細書の段落番号【００１８】を、誤記の訂正を目的として、
　「【００１８】
　前記図５に示される装置において、押圧ローラ２１を駆動するために、図６に示されるような押圧ローラ駆動装置３０を用いることができる。前記図６に示される押圧ローラ駆動装置３０においては、押圧ローラ２１を支持する支持ブラケット２２に対して揺動アーム３１を配置し、該揺動アーム３１をカム３５により駆動して、押圧ローラ２１を転写ドラム２０に向けて揺動させる手段を用いている。また、前記押圧ローラ２１の揺動の動作を制御するために、クラッチ４０を用いており、該クラッチ４０の外部に突出する爪部材４１……に対して、ソレノイド４２により駆動される係合爪４３を配置している。前記押圧ローラ２１を揺動させる際に、ソレノイド４２の爪４３をクラッチ４０から離して、クラッチ４０を介して入力ギヤ３８とギヤ３７とを接続し、軸３６を介してカム３５を駆動し、押圧ローラ２１を転写ドラム２０に押圧する。なお、前記揺動アーム３１には、アクチュエータ部材３３を突出させて設けて、該アクチュエータ部材３３をセンサ（図７に示す）が検知して、押圧ローラ２１が押圧状態にあることを、前記センサＳ４からの情報により確認するようにすることができる。」と訂正する。
訂正事項ｈ
　特許明細書の段落番号【００１９】を、誤記の訂正を目的として、
　「【００１９】
　そして、押圧ローラ２１を転写ドラム２０に押圧した状態で、係止爪４３をクラッチ４０の爪部材４１に係合させる状態にし、カム３５を略１／４回転させて停止し、押圧ローラ２１を転写ドラム２０に押圧した状態を保持させるようにする。その後で、用紙が転写ドラム２０に付着し終えるタイミングを見て、カム３５をさらに１／４回転させて、押圧ローラ２１を転写ドラム２０から離間させるようにする。なお、前記カム３５を駆動する時間は、用紙の長さ等の情報により設定されるものであり、大サイズの用紙の場合と、小サイズの用紙の場合とでは、クラッチ４０が作動される時間が異なるようにされる。また、前記実施例において、用紙の長さの情報は、例えば、用紙のサイズを選択した際のサイズの情報や、センサで検知した用紙の長さの情報等を用いることができる。」と訂正する。
訂正事項ｉ
　特許明細書の段落番号【００２０】を、誤記の訂正を目的として、
　「【００２０】
　前述したように構成される本発明の用紙搬送装置において、レジローラ１７と押圧ローラ２１とを駆動するための駆動装置４５は、図７に示されるように構成される。該図７に示される例において、入力軸４６を介してギヤ装置４７に伝達され、該ギヤ装置４７からクラッチ４８を介してレジローラ１７を駆動するとともに、クラッチ４０を介して押圧ローラ２１の揺動機構の駆動を行い得るようにされている。そして、前記レジローラ１７の駆動と、押圧ローラ２１を転写ドラム２０に向けて押圧する機構とを、同一の駆動装置４５を用いて駆動することによって、用紙を転写ドラム２０に対して付着させて支持させる作用を行うことが出来る。」と訂正する。
訂正事項ｊ
　特許明細書の【符号の説明】を、誤記の訂正を目的として、
　「【符号の説明】
１用紙搬送装置、２給紙カセット、３給紙ローラ、
５用紙路、６搬送ローラ装置、
１０レジ部用紙路、１５プリレジローラ、１７レジローラ、
２０転写ドラム、２１押圧ローラ、２５感光体ドラム、
２７駆動装置、３０押圧ローラ駆動装置、
３１揺動アーム、３５カム、４０・４８クラッチ、４５駆動装置。」と訂正する。
（５４）【発明の名称】
画像形成装置
（５７）【特許請求の範囲】
　【請求項１】　感光体に形成された画像を用紙に転写する画像形成装置において、
　前記画像形成装置は、
　給紙カセットに収容された用紙を給紙する給紙ローラと、
　前記給紙ローラによって給紙された用紙を用紙路内で搬送する搬送ローラ装置と、
　前記搬送ローラ装置によって搬送された用紙に画像を転写する転写部直前に設けられたレジローラと、
　前記搬送ローラ装置より用紙搬送方向下流で、前記レジローラより用紙搬送方向上流に設けられた
一つの
　前記給紙ローラの用紙搬送速度をＶ４、前記搬送ローラ装置の用紙搬送速度をＶ３、前記レジローラの用紙搬送速度をＶ１とした時、
　Ｖ４＜Ｖ３、Ｖ１＜Ｖ３の関係をみたすとともに、
　前記プリレジローラの用紙搬送速度
のみ
　Ｖ１＜Ｖ２＜Ｖ３の関係をみたすとともに、
　前記プリレジローラの速度を、レジローラによって用紙の先端が規制されるまでを第１の速度Ｖ３とし、用紙のループが形成された後に第２の速度Ｖ２に切り換える制御手段を備えたことを特徴とする画像形成装置。
【発明の詳細な説明】
　【０００１】
　【産業上の利用分野】
　本発明は、電子複写機等の画像形成装置における用紙搬送装置に関し、特に、電子複写機等の装置において、用紙を転写部に保持させた状態で、感光体ドラムに形成されるトナー画像を用紙に転写してコピーを作成する際に、用紙を転写部に向けて送り出す装置に関する。
　【０００２】
　【従来の技術】
　電子複写機等の画像形成装置においては、装置の給紙部に複数の給紙カセットや給紙トレイ等を配置し、それ等の用紙収容装置にサイズの異なる用紙を収容させておき、原稿のサイズや、縮拡率等の情報に応じて、適当なサイズの用紙を給紙してコピーを作成するような手段が用いられている。前述したような画像形成装置において、給紙部と画像形成装置とが離れている場合には、給紙部から画像転写部との間で、用紙の搬送速度を高速に設定し、該用紙の搬送に要する時間を短縮することが行われている。そして、画像転写部では、感光体ドラム等の装置の速度に同期させて用紙を移動させ、トナー画像が転写される際に、トナー画像が乱れたりすることがないようにされる。例えば、実開昭５４−８６４３５号公報等に示されるような従来例においては、前述したような用紙搬送モードを設定している。
　【０００３】
　また、前述したような一般的な電子複写機等とは別に、カラー電子複写機等の装置では、カラートナー画像を作成するために、複数の現像装置を配置し、用紙を転写ドラム等に保持させた状態で、カラートナー画像を順次重ねて転写し、その用紙を定着装置を通して定着し、カラーコピーを作成するような手段を用いている。前記カラー電子複写機としては、例えば、特開平１−１０７２８０号公報等に示されるように、用紙の先端部を転写ドラムに設けたグリップ手段により保持した状態で、カラートナー画像の転写を行わせる方式を用いることが知られている。また、前記従来例とは別に、実開昭６１−２０６９７０号公報等に示されるように、用紙を転写ドラムに対して静電的に保持させた状態で、カラートナー画像の転写を行う方式のものも知られている。
　【０００４】
　前記従来例に示されるカラー電子複写機においても、給紙部と画像転写部とを接続する用紙路が長い場合には、最初のコピーの指令が出力されて給紙装置が作動し、最初の用紙を送り出すまでの時間を短縮するためには、用紙路内での用紙の搬送時間を短くすることが必要である。そこで、従来の電子複写機においては、用紙路内での用紙搬送速度を高速に設定するが、画像転写部での搬送速度を、感光体ドラムの周速に一致させる状態に設定しており、そのために、例えば、感光体ドラムの速度に対して、レジローラの駆動速度をほぼ同期させるような駆動手段を用いている。
　【０００５】
　【発明が解決しようとする課題】
　前述したように、用紙路内での用紙搬送速度を高速に設定した場合には、当然給紙部での給紙速度を高速にすることが必要となる。ところが、給紙部での用紙さばき機構の性能の観点からは、用紙の速度が遅い場合には、重送が発生する度合が少ないが、用紙を高速で送り出す場合には、重送の発生率が高くなるという問題がある。また、用紙路内で用紙を高速で搬送すると、用紙の間の間隔が狭くなり、連続して給紙を行うことにより、コピーの作成能率を向上させることができるが、送り出し部でのバラツキが大きいと、用紙の間隔を確保することが困難になるという問題がある。
　【０００６】
　前述したような用紙路内での用紙の搬送の条件は、一般の電子複写機等でも大きな問題となっているが、カラー電子複写機においても、転写ドラムに向けて用紙を送り出す際にも解決を要する課題となっている。つまり、用紙を担持する転写ドラムに対して、用紙路から用紙を送り込んで、その用紙を転写ドラムに保持させるためには、感光体ドラムからの画像転写部に向けて用紙を移動させる場合と、同様な条件を設定することが必要である。ところが、従来のカラー電子複写機においては、前述したような従来例に見られるように、用紙路内での用紙の搬送条件等を厳密に検討している場合が少なく、用紙の送り出しに際してのバラツキ等が大きな問題となっている。
　【０００７】
　【発明の目的】
　本発明は前述したような用紙搬送装置における問題を解消するもので、特に、電子複写機において、給紙部でのさばき性能を良好に発揮させ得るとともに、用紙路内での用紙の搬送と、転写部に向けて送り出す部分でレジローラによる送り速度とを規制出来る手段を提供することを目的としている。
　【０００８】
　【課題を解決するための手段】
　本発明は、感光体に形成された画像を用紙に転写する画像形成装置に関する。本発明の請求項１の発明は、前記画像形成装置が、給紙カセットに収容された用紙を給紙する給紙ローラと、前記給紙ローラによって給紙された用紙を用紙路内で搬送する搬送ローラ装置と、前記搬送ローラ装置によって搬送された用紙に画像を転写する転写部直前に設けられたレジローラと、前記搬送ローラ装置より用紙搬送方向下流で、前記レジローラより用紙搬送方向上流に設けられた
一つの
のみ
　【０００９】
　前述したように、給紙部での用紙搬送速度と、用紙路での搬送速度、および、レジ部での速度とを、それぞれ適正な速度に設定することによって、給紙部でのさばき性能を良好に発揮させて、重送を防止することが出来る。また、用紙路内での搬送速度を高速に設定することにより、待ち時間を少なくした状態で最初の用紙を画像転写部に向けて送り出すことができる。
　【００１０】
　【実施例】
　図示される例にしたがって、本発明の画像形成装置の用紙搬送装置を説明する。図１に示される本発明の実施例は、カラー電子複写機において、給紙カセット２から転写ドラム２０に向けて用紙を搬送する用紙搬送装置を示している。前記図１に示される用紙搬送装置１において、給紙部に配置される給紙カセット２に対して、給紙ローラ３とさばき装置４とを配置しており、該給紙部から送り出される用紙は、用紙路５に配置した搬送ローラ装置６により搬送される。前記用紙路５に続いて、湾曲路として構成されるレジ部用紙路１０を配置し、該レジ部用紙路１０の上流部にプリレジローラ１５を、下流部にレジローラ１７を配置している。また、前記レジ部用紙路１０のレジローラ１７により送り出される用紙は、押圧ローラ２１により転写ドラム２０に向けて押圧され、該転写ドラム２０に静電的に保持された状態で回転され、感光体ドラム２５に形成されたカラートナー画像を転写させるようにしている。
　【００１１】
　前記用紙路５には、用紙の通過を検知するためのセンサＳ３を配置し、レジ部用紙路１０にはセンサＳ１、Ｓ２をそれぞれ配置して、用紙路５およびレジ部用紙路１０内での用紙の検知の動作を行うようにしている。前記用紙搬送装置１における用紙の搬送速度は、給紙部での速度をｖ４、用紙路５での速度をｖ３、レジローラ１７から送り出す速度をｖ１とし、各部分での速度の関係を、ｖ４＜ｖ３、ｖ１＜ｖ３に設定する。また、レジ部用紙路１０の部分では、プリレジローラ１５の速度ｖ２とレジローラの速度ｖ１の関係を、ｖ１＜ｖ２に設定して、レジ部用紙路１０内での用紙が両側のローラ装置の間で引っ張り合うことがないようにしている。なお、前記レジ部用紙路１０の長さＬａは、例えば、画像形成装置において使用される最少サイズの用紙とほぼ等しい長さに設定され、その用紙の先端部がレジローラ１７にニップされた状態で、プリレジローラ１５により若干送られることにより、レジ部用紙路１０内の用紙にループを形成させ、用紙のスキュー補正を行った状態で、次の工程に向けて送り出すことができるようにされる。
　【００１２】
　前述したような速度の関係で用紙搬送装置１内で用紙を搬送し、転写ドラム２０に向けて用紙を供給する際に、その用紙の移動状態は、図２のタイミングチャートに示されるように設定される。該図２に示されるタイミングチャートを図１の各構成部材に沿って説明すると、給紙部の給紙ローラ３により、給紙カセット２から送り出される用紙は、給紙ローラ３とさばき装置４とによる速度ｖ４で用紙路５に向けて送り出される。そして、送り出された用紙は、用紙路５に配置したセンサＳ３により検知された後で、所定の距離だけ用紙路５内を移動し、前記用紙路５に配置した搬送ローラ装置６に、前記用紙の先端部がニップされた状態で停止される。その後で、所定のタイミングを見て、用紙の送りのバラツキＲが解消された後で、搬送ローラ装置６が速度ｖ３で駆動されることにより、用紙路５に配置された搬送ローラ装置６……と、レジ部用紙路１０の導入部のプリレジローラ１５とを用いて、レジローラ１７の部分にまで高速で送り出される。そして、その用紙の先端部がレジローラ１７にニップされてから、レジ部用紙路１０内で所定の形状のループを形成した状態で停止される。
　【００１３】
　なお、前記図２に示されるタイミングチャートは、大サイズの用紙に対する送りを行う場合で示しているもので、例えば、転写ドラムに対して１枚の用紙のみを保持させる状態の場合には、１枚目の用紙と２枚目の用紙との間隔を比較的大きく設定して送るようにする。これに対して、転写ドラムに対して２枚の用紙を保持させて、その転写ドラムに同時に保持される２枚の用紙に対して順次カラートナー画像を転写する場合には、図３のタイミングチャートに示されるように、１枚目の用紙と、２枚目の用紙との間隔を非常に狭くした状態で給紙部から送り出すようにする。なお、前記図２と図３のタイミングチャートに示される例において、用紙は、例えばＡ３サイズのものを１枚だけ転写ドラムに保持させる場合と、Ａ４サイズの用紙を横向きの状態で２枚同時に保持する場合との２種類のモードで考えることができる。
　【００１４】
　前述した状態で、レジ部用紙路１０内で停止している用紙は、転写ドラム２０の回転にタイミングを合わせて、レジローラ１７が速度ｖ１で駆動されることにより送り出され、転写ドラム２０に向けて押圧ローラ２１により押圧され、転写ドラム
２０
５
２０
２０
　【００１５】
　前記用紙搬送装置１において、レジ部用紙路１０に対応させて配置するプリレジローラ１５は、用紙を用紙路５からレジ部用紙路１０内に導入する場合は高速で駆動が行われ、レジローラ
１７
１５
　【００１６】
　したがって、本発明のレジ部用紙路１０の入り口部分に配置されるプリレジローラ１５においては、用紙路５からレジ部用紙路１０に向けて用紙を導入する場合には、高速用のギヤＧ５を介してプリレジローラ軸が駆動され、用紙が速度ｖ３でレジ部用紙路１０内を搬送される。そして、レジローラ１７に先端部がニップされた状態で、若干の追加送りを行うまで、用紙を高速で搬送する。また、用紙がレジ部用紙路１０内で一旦停止され、その後で、レジローラ１７が駆動されて転写ドラム
２０
　【００１７】
　前記図１に示される用紙搬送装置１において、レジ部用紙路１０と、押圧ローラ
２１
２２
２０
　【００１８】
　前記図５に示される装置において、押圧ローラ２１を駆動するために、図６に示されるような押圧ローラ駆動装置３０を用いることができる。前記図６に示される押圧ローラ駆動装置３０においては、押圧ローラ２１を支持する支持ブラケット２２に対して揺動アーム３１を配置し、該揺動アーム３１をカム３５により駆動して、押圧ローラ２１を転写ドラム
２０
２１
２１
２０
部材
　【００１９】
　そして、押圧ローラ２１を転写ドラム
２０
４０
２１
２０
２０
２１
２０
３５
４０
　【００２０】
　前述したように構成される本発明の用紙搬送装置において、レジローラ１７と押圧ローラ２１とを駆動するための駆動装置４５は、図７に示されるように構成される。該図７に示される例において、入力軸４６を介してギヤ装置４７に伝達され、該ギヤ装置４７からクラッチ４８を介してレジローラ１７を駆動するとともに、クラッチ４０を介して押圧ローラ２１の揺動機構の駆動を行い得るようにされている。そして、前記レジローラ１７の駆動と、押圧ローラ
２１
２０
２０
　【００２１】
　なお、前述した本発明の実施例は、カラー電子複写機において転写ドラムに用紙を保持させた状態で、カラートナー画像を転写する装置に適用する場合を示したが、本発明の用紙搬送装置における用紙の搬送機構は、一般の電子複写機においても適用することが出来る。また、レジ部用紙路の構成と、該レジ部用紙路における用紙の搬送状態等も、カラー電子複写機にのみ適用されるものではない。さらに、本発明の用紙搬送機構における用紙の搬送モードは、電子複写機の構成やその他の条件に応じて、任意にその速度を変更することができる。
　【００２２】
　【発明の効果】
　本発明の画像形成装置は、前述したような構成を有するものであり、用紙搬送装置において、前述したように、給紙部での用紙搬送速度と、用紙路での速度およびレジ部での速度とを、それぞれ適正な速度に設定することによって、給紙部でのさばき性能を良好に発揮させて、重送を防止することが出来る。また、用紙路内での搬送速度を高速に設定することにより、待ち時間を少なくした状態で、最初の用紙を画像転写部に向けて送り出すことができる。さらに、本発明の装置においては、用紙路内で一旦用紙を停止させた後で、先行用紙との間隔を設定した状態でレジ部に向けて高速度で用紙を送り出すことができるので、該用紙路内での用紙の間隔を正確に設定することができる。
【図面の簡単な説明】
　【図１】　本発明の用紙搬送装置の構成を示す側面図である。
　【図２】　本発明の装置において、大サイズの用紙の搬送状態を示すタイミングチャートである。
　【図３】　小サイズの用紙を搬送する場合のタイミングチャートである。
　【図４】　プリレジローラに対する駆動装置の構成を示す説明図である。
　【図５】　本発明のレジ部用紙路と、その上流部の押圧ローラの駆動機構を示す説明図である。
　【図６】　押圧ローラの駆動機構の構成を示す斜視図である。
　【図７】　レジローラと押圧ローラの駆動装置の説明図である。
　【符号の説明】
１　用紙搬送装置、　２　給紙カセット、　３　給紙ローラ、
５　用紙路、　６　搬送ローラ装置、
１０　レジ部用紙路、　１５プリレジローラ、　１７　レジローラ、
２０　転写ドラム、　２１押圧ローラ、　２５　感光体ドラム、
２７　駆動装置、　３０　押圧ローラ駆動装置、
３１　揺動アーム、　３５　カム、　４０・４８　クラッチ、４５　駆動装置。